(57)【要約】【課題】マッサージ機に関する情報やマッサージ機を設置する事業者が発信するメッセージ情報をセールスマン又は事業者が不在であっても、使用者に十分与えることができる。【解決手段】制御部７は、マッサージ機１の全機能のうち使用者が利用可能な機能が少なくとも一部異なる複数の制御モードを有する。複数の制御モードには、マッサージ機１の全ての機能又はほとんど全ての機能を使用者が利用できるフル機能制御モード２１と、フル機能制御モード２１において使用者が利用可能な機能のうちの少なくとも一部の機能が制限された機能限定制御モード２０と、を含む。マッサージ機１が所定の状態となった時、制御部７は機能限定制御モード２０へ移行する。制御部７は、機能限定制御モード２０では、マッサージ機１に関する情報を表示部８２に表示させ、及び／又は音声出力部９に音声として出力させる。【選択図】      図１
2018023764.tif 000002
【特許請求の範囲】
【請求項１】
使用者にマッサージを行うマッサージ部を有するマッサージ機において、
前記マッサージ機の各種操作を行うための操作部を有するコントローラと、
使用者が視認する表示部及び／又は音声出力部と、
前記マッサージ機が有する機能を制御する制御部と、
を有し、
前記制御部は、マッサージ機の全機能のうち使用者が利用可能な機能が少なくとも一部異なる複数の制御モードを有し、
複数の前記制御モードには、マッサージ機の全ての機能又はほとんど全ての機能を使用者が利用できるフル機能制御モードと、前記フル機能制御モードにおいて使用者が利用可能な機能のうちの少なくとも一部の機能が制限された機能限定制御モードと、を含み、
前記マッサージ機が所定の状態となった時、前記制御部は前記機能限定制御モードへ移行し、
前記制御部は、前記機能限定制御モードでは、前記マッサージ機に関する情報を前記表示部に表示させ、及び／又は前記音声出力部に音声として出力させることを特徴とするマッサージ機。
【請求項２】
前記情報は、前記マッサージ機の特徴、使用方法、価格又は購入方法の少なくともいずれかを含むことを特徴とする請求項１に記載のマッサージ機。
【請求項３】
使用者にマッサージを行うマッサージ部を有するマッサージ機において、
前記マッサージ機の各種操作を行うための操作部を有するコントローラと、
使用者が視認する表示部及び／又は音声出力部と、
前記マッサージ機が有する機能を制御する制御部と、
を有し、
前記制御部は、マッサージ機の全機能のうち使用者が利用可能な機能が少なくとも一部異なる複数の制御モードを有し、
複数の前記制御モードには、マッサージ機の全ての機能又はほとんど全ての機能を使用者が利用できるフル機能制御モードと、前記フル機能制御モードにおいて使用者が利用可能な機能のうちの少なくとも一部の機能が制限された機能限定制御モードと、を含み、
前記マッサージ機が所定の状態となった時、前記制御部は前記機能限定制御モードへ移行し、
前記制御部は、前記機能限定制御モードでは、前記マッサージ機を設置する事業者からのメッセージ情報を前記表示部に表示させ、及び／又は前記音声出力部に音声として出力させることを特徴とするマッサージ機。
【請求項４】
前記メッセージ情報は、事業者からの宣伝であることを特徴とする請求項３に記載のマッサージ機。
【請求項５】
前記マッサージ機を起動させる操作を行った時、前記マッサージ部を作動させる操作を行った時、又は使用者と前記マッサージ機の当接を検出した時、前記制御部は前記機能限定制御モードへ移行することを特徴とする請求項１〜４のいずれかに記載のマッサージ機。
【請求項６】
前記マッサージ機を停止させる操作を行った時、又はマッサージコースが終了した時、前記制御部は前記機能限定制御モードへ移行することを特徴とする請求項５に記載のマッサージ機。
【請求項７】
前記操作部は、タッチパネル又は物理ボタンよりなり、
前記機能限定制御モードでは、前記操作部による操作を無効とする、又は操作部を非表示とするよう制御することを特徴とする請求項１〜６のいずれかに記載のマッサージ機。
【請求項８】
前記機能限定制御モードでは、前記マッサージ部を作動させる操作を制限するよう制御することを特徴とする請求項１〜７のいずれかに記載のマッサージ機。
【請求項９】
使用者が凭れる背凭れ部、又は使用者の下肢を支持するフットレストを有し、
前記機能限定制御モードでは、前記背凭れ部又は前記フットレストを移動させる操作は制限しないよう制御することを特徴とする請求項１〜８のいずれかに記載のマッサージ機。
【請求項１０】
前記操作部は、前記表示部に表示させる情報及び／又は前記音声出力部に出力させる情報を選択可能な選択部を更に有することを特徴とする請求項１〜９のいずれかに記載のマッサージ機。
【請求項１１】
前記選択部は、前記表示部に表示させる情報を伝達する人物又はキャラクターを複数の中から選択可能であることを特徴とする請求項１０に記載のマッサージ機。
【請求項１２】
前記選択部は、前記音声出力部に出力させる情報を伝達する音声を複数の中から選択可能であることを特徴とする請求項１０又は１１に記載のマッサージ機。
【請求項１３】
外部との通信手段を有し、
前記通信手段を介して前記情報を取得可能であることを特徴とする請求項１〜１２のいずれかに記載のマッサージ機。
【発明の詳細な説明】
【技術分野】
【０００１】
本発明はマッサージ機に関する。
【背景技術】
【０００２】
マッサージ機は、家電量販店等の店舗に展示され、セールスマンが機器の特徴や使用方法を説明して販売されることが一般的である。しかし、上記販売方法では、店舗ごとにセールスマンを配置しなければならず、効率が悪い。このような問題に対して、マッサージ機に画像出力装置及び音声出力装置を設け、機器の使用方法等の説明を含む情報を出力可能なマッサージ機が提案されている（例えば、特許文献１参照）。
【先行技術文献】
【特許文献】
【０００３】
【特許文献１】特開平５−４０８７３号公報
【発明の概要】
【発明が解決しようとする課題】
【０００４】
上記特許文献１に記載のマッサージ機にあっては、使用者は、前記情報の出力をキャンセルしたり、前記情報を十分取得していない状態でマッサージを開始したりする可能性がある。従って、適切に機器を使用できない可能性や、機器の特徴を使用者へ十分伝えることができない可能性がある。これでは、十分な販売機会を得ることができない。
また、マッサージ機を設置する事業者が発信するメッセージ情報（例えば、事業者の宣伝やマッサージ機を使用する際の注意喚起など）を使用者に対して行うことができない。これでは、マッサージ機を設置する事業者の宣伝を使用者へ十分に与えることができない。
そこで本発明は、上述した問題を解消するためになされたものであり、セールスマンが不在であっても、マッサージ機に関する情報を使用者に十分与えることができるマッサージ機を提供すること、又は、事業者が不在であっても、マッサージ機を設置する事業者が発信するメッセージ情報（例えば、事業者の宣伝やマッサージ機を使用する際の注意喚起など）を、使用者に十分与えることができるマッサージ機を提供することを目的とする。
【課題を解決するための手段】
【０００５】
本発明は、使用者にマッサージを行うマッサージ部を有するマッサージ機において、前記マッサージ機の各種操作を行うための操作部を有するコントローラと、使用者が視認する表示部及び／又は音声出力部と、前記マッサージ機が有する機能を制御する制御部と、を有し、前記制御部は、マッサージ機の全機能のうち使用者が利用可能な機能が少なくとも一部異なる複数の制御モードを有し、複数の前記制御モードには、マッサージ機の全ての機能又はほとんど全ての機能を使用者が利用できるフル機能制御モードと、前記フル機能制御モードにおいて使用者が利用可能な機能のうちの少なくとも一部の機能が制限された機能限定制御モードと、を含み、前記マッサージ機が所定の状態となった時、前記制御部は前記機能限定制御モードへ移行し、前記制御部は、前記機能限定制御モードでは、前記マッサージ機に関する情報を前記表示部に表示させ、及び／又は前記音声出力部に音声として出力させることを特徴とする。
このような構成とすることにより、セールスマンが不在であっても、マッサージ機に関する情報を使用者に十分与えることができる。
【０００６】
また、前記情報は、前記マッサージ機の特徴、使用方法、価格又は購入方法の少なくともいずれかを含むことが好ましい。
このような構成とすることにより、マッサージ機を適切に使用させることができる。また、マッサージ機の販売機会が広がる。
【０００７】
また、本発明は、使用者にマッサージを行うマッサージ部を有するマッサージ機において、前記マッサージ機の各種操作を行うための操作部を有するコントローラと、使用者が視認する表示部及び／又は音声出力部と、前記マッサージ機が有する機能を制御する制御部と、を有し、前記制御部は、マッサージ機の全機能のうち使用者が利用可能な機能が少なくとも一部異なる複数の制御モードを有し、複数の前記制御モードには、マッサージ機の全ての機能又はほとんど全ての機能を使用者が利用できるフル機能制御モードと、前記フル機能制御モードにおいて使用者が利用可能な機能のうちの少なくとも一部の機能が制限された機能限定制御モードと、を含み、前記マッサージ機が所定の状態となった時、前記制御部は前記機能限定制御モードへ移行し、前記制御部は、前記機能限定制御モードでは、前記マッサージ機を設置する事業者からのメッセージ情報を前記表示部に表示させ、及び／又は前記音声出力部に音声として出力させることを特徴とする。
このような構成とすることにより、マッサージ機を設置する事業者が発信するメッセージ情報（例えば、事業者の宣伝やマッサージ機を使用する際の注意喚起など）を、事業者が不在であっても、使用者に十分与えることができる。
【０００８】
また、前記メッセージ情報は、事業者からの宣伝であることが好ましい。
このような構成とすることにより、事業者自体の宣伝や事業者が扱う商品、サービスについての宣伝をすることができるため、事業者から宣伝料としての収益を得ることができる。
【０００９】
また、前記マッサージ機を起動させる操作を行った時、前記マッサージ部を作動させる操作を行った時、又は使用者と前記マッサージ機の当接を検出した時、前記制御部は前記機能限定制御モードへ移行することが好ましい。
このような構成とすることにより、マッサージ機を使用する前に、マッサージ機に関する情報を使用者に十分与えることができる。すなわち、適切にマッサージ機を使用させることができる。また、マッサージ機に関する情報を与える前に使用者がマッサージ機から離れることを防止でき、販売機会が広がる。
【００１０】
また、前記マッサージ機を停止させる操作を行った時、又はマッサージコースが終了した時、前記制御部は前記機能限定制御モードへ移行することが好ましい。
このような構成とすることにより、マッサージを終了した後にも、マッサージ機に関する情報を使用者に与えることができ、販売機会が更に広がる。マッサージを終了した後に与える前記情報としては、マッサージ機の価格又は購入方法であることが好ましい。
【００１１】
また、前記操作部は、タッチパネル又は物理ボタンよりなり、前記機能限定制御モードでは、前記操作部による操作を無効とする、又は操作部を非表示とするよう制御することが好ましい。
このような構成とすることにより、マッサージ機を使用する前に、マッサージ機に関する情報を使用者に確実に与えることができる。
【００１２】
また、前記機能限定制御モードでは、前記マッサージ部を作動させる操作を制限するよう制御することが好ましい。
このような構成とすることにより、マッサージを開始する前に、マッサージ機に関する情報を使用者に確実に与えることができる。
【００１３】
また、使用者が凭れる背凭れ部、又は使用者の下肢を支持するフットレストを有し、前記機能限定制御モードでは、前記背凭れ部又は前記フットレストを移動させる操作は制限しないよう制御することが好ましい。
このような構成とすることにより、使用者は所望する姿勢でマッサージ機に関する情報を得ることができる。
【００１４】
また、前記操作部は、前記表示部に表示させる情報及び／又は前記音声出力部に出力させる情報を選択可能な選択部を更に有することが好ましい。
このような構成とすることにより、表示部に表示させる情報及び／又は音声出力部に出力させる情報について使用者の好みに応じた情報を選択することができる。
【００１５】
また、前記選択部は、前記表示部に表示させる情報を伝達する人物又はキャラクターを複数の中から選択可能であることが好ましい。
このような構成とすることにより、複数の人物又はキャラクターの中から、使用者が選択した好みの人物又はキャラクターを表示部に表示させることができるため、親近感を持たせることができる。
【００１６】
また、前記選択部は、前記音声出力部に出力させる情報を伝達する音声を複数の中から選択可能であることが好ましい。
このような構成とすることにより、複数の音声の中から、使用者が選択した好みの音声を音声出力部から出力させることができるため、より親近感を持たせることができる。
【００１７】
また、外部との通信手段を有し、前記通信手段を介して前記情報を取得可能であることが好ましい。
このような構成とすることにより、機能改良や価格改定等マッサージ機の変化に前記情報を容易に対応させることができる。
【発明の効果】
【００１８】
本発明によれば、セールスマンが不在であっても、マッサージ機に関する情報を使用者に十分与えることができる。
【図面の簡単な説明】
【００１９】
【図１】本発明の一実施形態に係るマッサージ機の側面図である。
【図２】マッサージユニットの正面図である。
【図３】マッサージ機のブロック図である。
【図４】コントローラの説明図である。
【図５】表示部の図であり、（ａ）はコース選択キー及び部位選択キーが表示された状態であり、（ｂ）は手技選択キーが表示された状態をそれぞれ示している。
【図６】表示部の図であり、（ａ）は機能限定制御モードにおける状態であり、（ｂ）はフル機能制御モードにおける状態をそれぞれ示している。
【図７】制御モードの移行を説明するフロー図である。
【図８】制御モードの移行を説明するフロー図である。
【図９】表示部の図であり、（ａ）は宣伝選択キーが表示された状態であり、（ｂ）は人物選択キーとキャラクター選択キーが表示された状態であり、（ｃ）は音声選択キーが表示された状態をそれぞれ示している。
【図１０】表示部の図であり、（ａ）は機能限定制御モードにおける状態であり、（ｂ）はフル機能制御モードにおける状態をそれぞれ示している。
【図１１】制御モードの移行を説明するフロー図である。
【図１２】制御モードの移行を説明するフロー図である。
【図１３】マッサージ機を備えた情報ネットワークシステムを示す全体構成図である。
【００２０】
［マッサージ機の全体構成］
以下、本発明の一実施形態に係るマッサージ機１の全体構成について説明する。
図１は本発明の一実施形態に係るマッサージ機１の側面図である。図２はマッサージユニット１３の正面図である。図３はマッサージ機１のブロック図である。図４はコントローラ８の説明図である。図５は表示部８２の図であり、（ａ）はコース選択キー８４ａ及び部位選択キー８４ｂが表示された状態であり、（ｂ）は手技選択キー８４ｃが表示された状態をそれぞれ示している。図６は表示部８２の図であり、（ａ）は機能限定制御モード２０における状態であり、（ｂ）はフル機能制御モード２１における状態をそれぞれ示している。図９は表示部８２の図であり、（ａ）は宣伝選択キー８４ｅが表示された状態であり、（ｂ）は人物選択キー８４ｆとキャラクター選択キー８４ｆが表示された状態であり、（ｃ）は音声選択キー８４ｇが表示された状態をそれぞれ示している。図１０は表示部８２の図であり、（ａ）は機能限定制御モード２０における状態であり、（ｂ）はフル機能制御モード２１における状態をそれぞれ示している。
【００２１】
図１〜図３に示すとおり、本発明の一実施形態に係るマッサージ機１は、使用者が着座する座部３と、座部３の後部に設けられた使用者が凭れる背凭れ部４と、座部３の前部に設けられたフットレスト５と、により構成される本体部２を有している。また、マッサージ機１は、使用者に対してマッサージを行なうマッサージ部６と、マッサージ機１が有する機能を制御する制御部７と、マッサージ機１の各種操作を行うためのコントローラ８と、スピーカ等よりなる音声出力部９と、を有している。音声出力部９は、本体部２における着座した使用者の頭近傍に設けられていてもよいし、コントローラ８に設けられていてもよい。本体部２は、座部３の両側に設けられた肘掛け部を有していてもよく、肘掛け部にマッサージ部６が設けられていてもよい。
【００２２】
背凭れ部４は、アクチュエータ等を有するリクライニング機構１０の作動により、座部３の後部に設けられた左右方向を軸方向とする回動軸Ｃ１を中心として、前後方向に移動（リクライニング）可能であることが好ましい。フットレスト５は、アクチュエータ等を有する回動機構１１の作動により、座部３の前部に設けられた左右方向を軸方向とする回動軸Ｃ２を中心として、上下方向に移動（回動）可能であることが好ましい。フットレスト５は、アクチュエータ等を有する伸縮機構１２の作動により、下腿の長手方向に沿って移動（伸縮）可能であることが好ましい。
【００２３】
マッサージ部６として、モータＭ１〜Ｍ３により駆動される左右で対をなす施療子６２を有するマッサージユニット１３、エアの給排気により膨張収縮するエアセル１４、及びモータにより駆動されるバイブレータ１５のうち、少なくとも１つを有している。本実施形態では、背凭れ部４にマッサージユニット１３及びバイブレータ１５が設けられ、座部３及びフットレスト５にエアセル１４及びバイブレータ１５が設けられている。各マッサージ部６の配置はこれに限定されない。エアセル１４は、エアを給排気することで使用者を押圧することができる。バイブレータ１５は、偏心分銅が回転することで使用者に振動を与えることができる。
【００２４】
［マッサージユニットの構成］
図２に示すとおり、背凭れ部４には、使用者の上半身を後方（背面）からマッサージするマッサージユニット１３が設けられている。このマッサージユニット１３は、左右で対をなすアーム６１と、アーム６１の上下両端部に設けられた施療子６２と、により構成されており、マッサージモータＭ１の駆動により左右の施療子６２が近接離反する揉みマッサージ、及びマッサージモータＭ２の駆動により左右の施療子６２が交互に使用者側へ進退する叩きマッサージを行わせることができる。また、マッサージユニット１３は、昇降モータＭ３の駆動により身長方向に沿って上方又は下方へ移動して、身体に対する位置を変更したり、ローリングマッサージを行わせたりすることができる。背凭れ部４には、身長方向に延設された左右で対をなすガイドレール１６（図１参照）が設けられており、マッサージユニット１３はガイドレール１６に沿って移動する。マッサージユニット１３が身長方向に移動可能であるため、使用者の首から腰の間を施療子６２でマッサージすることができる。
【００２５】
図２に示すとおり、マッサージユニット１３は、ベースフレーム６０ａと、ベースフレーム６０ａに支持された可動フレーム６０ｂと、を有している。ベースフレーム６０ａは、その左右両側においてガイドレール１６に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル等よりなる進退駆動部６５が設けられている。進退駆動部６５の駆動により、可動フレーム６０ｂは揺動軸６４を中心として使用者に対して進退することができる。なお、可動フレーム６０ｂを進退させる構造でなくてもよく、アーム６１に進退駆動部６５を設けてアーム６１のみを進退させる構造であってもよい。
【００２６】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２７】
アーム６１は、前後方向に揺動自在であり、上側の施療子６２が前方へ突出するようにバネ等よりなる付勢手段（図示せず）により付勢されている。また、図３に示すとおり、マッサージユニット１３は、使用者の身体情報を検出するセンサ６９を有している。このセンサ６９は、アーム６１が所定の揺動位置となったことを検出することで身体情報を得ることができる。具体的に説明すると、マッサージユニット１３を身長方向に沿って上昇させる過程で、上側の施療子６２が肩の上方に到達すると、施療子６２に作用する負荷が解除されて、付勢手段（図示せず）の作用によりアーム６１が前方へ揺動して所定の揺動位置となる。アーム６１が所定の揺動位置となったことをセンサ６９が検出し、その際のマッサージユニット１３の上下位置に基づいて肩の位置を検出する。肩の位置を基準として、その他の部位（首、背中、腰等）の位置を計算により求める。検出された身体情報は制御部７の記憶部に記憶される。なお、身体情報は使用者自身が入力してもよい。この場合、例えば、コントローラ８を操作して身体情報を入力し、制御部７の記憶部に記憶させることができる。
【００２８】
［制御系の構成］
図３に示すとおり、マッサージ機１には、マッサージユニット１３、エアセル１４、バイブレータ１５、リクライニング機構１０、回動機構１１及び伸縮機構１２を動作せるためのマイクロコンピュータ等からなる制御部７が設けられている。この制御部７は、座部３の下方に設けられており、使用者が操作するコントローラ８と接続されており、使用者がコントローラ８を操作することで各種マッサージ動作が行われる。
【００２９】
図４に示すとおり、コントローラ８は、マッサージ機１の各種操作を行うための操作部８１と、マッサージ機１に関する情報を表示させる表示部８２と、を有している。本実施形態に係る操作部８１は、使用者が指先で押し込むことにより操作する物理ボタン８３と、使用者が指先で操作するためのタッチパネル８４と、により構成されている。本実施形態に係る表示部８２は、タッチパネル８４で構成されており、操作部８１としての機能を兼ねている。表示部８２は、コントローラ８とは独立して設けられていてもよい。
【００３０】
物理ボタン８３としては、通電状態を切り替えることによりマッサージ機を起動又は停止させる「電源ボタン８３ａ」と、マッサージユニット１３の位置を変更する「位置調整ボタン８３ｂ」と、背凭れ部４の姿勢を変更する「リクライニングボタン８３ｃ」と、フットレスト５の姿勢を変更する「回動ボタン８３ｄ」と、フットレスト５の長さを変更する「伸縮ボタン８３ｅ」と、動作中のマッサージ機１の全ての動作を緊急停止させる「急停止ボタン８３ｆ」と、が設けられている。
【００３１】
図５（ａ）及び図５（ｂ）、図９（ａ）〜図９（ｃ）に示すとおり、タッチパネル８４は、所定の操作又は時間の経過により画面が変化することができ、各画面によって表示される操作キーの種類が異なる。１つの画面には、１又は複数の操作キーが表示される。タッチパネル８４には、マッサージ部６又はメッセージ情報を作動させる１又は複数の操作キーが含まれていることが好ましい。マッサージ部６を作動させる操作キーとしては、例えば、各マッサージ部６を予め定められたプログラムに従って動作させるマッサージコースを選択する「コース選択キー８４ａ」、複数のマッサージ部６のうち動作させるマッサージ部６を選択する「部位選択キー８４ｂ」、又はマッサージ部６によるマッサージの手技を選択する「手技選択キー８４ｃ」等が含まれる。また、メッセージ情報を作動させる操作キーとしては、例えば、表示部に表示させる宣伝を選択する「宣伝選択キー８４ｅ」、表示部に表示させる人物又はキャラクターを選択する「人物選択キー８４ｆ」又は「キャラクター選択キー８４ｆ」、音声出力部から出力する音声を選択する「音声選択キー８４ｇ」等が含まれる。
【００３２】
本実施形態では、物理ボタン８３とタッチパネル８４を組み合わせて操作部８１を構成したが、各ボタン８３ａ〜８３ｆ及び各操作キー８４ａ〜８４ｇに相当する操作部８１を物理ボタン８３のみ又はタッチパネル８４のみで構成してもよい。
【００３３】
図３に示すとおり、各マッサージ部６が有する機能を制御する制御モードは複数用意されており、当該制御モードによりマッサージ部６を動作させるための動作プログラムが制御部７に設けられたＲＡＭ、ＲＯＭからなる記憶部に記憶されている。そして、使用者は、操作部８１を操作して、制御部７が各マッサージ部６や各機構１０〜１２を動作させる。さらに、制御部７は、マッサージ機１の全機能のうち使用者が利用可能な機能が一部異なる複数の制御モードを有しており、当該複数の制御モードは、マッサージ機１の全ての機能を使用者が利用できるフル機能制御モード２１と、フル機能制御モード２１において使用者が利用可能な機能のうち一部の機能が制限された機能限定制御モード２０とからなっている。また、制御部７は、マッサージ部６が予め定められたプログラムに従って動作するマッサージコースを複数種類実行可能に構成されている。
【００３４】
フル機能制御モード２１では、マッサージ機１が有する機能であるマッサージユニット１３、エアセル１４、バイブレータ１５、リクライニング機構１０、回動機構１１及び伸縮機構１２に関して、全て選択することができ、作動させることができる。すなわち、フル機能制御モード２１では、電源ボタン８３ａ、位置調整ボタン８３ｂ、リクライニングボタン８３ｃ、回動ボタン８３ｄ、伸縮ボタン８３ｅ及び急停止ボタン８３ｆの全ての操作が有効に設定されている。また、マッサージ部６の作動に関するコース選択キー８４ａ、部位選択キー８４ｂ及び手技選択キー８４ｃの全てが表示部８２に表示され、その操作が有効に設定されている。
【００３５】
機能限定制御モード２０では、フル機能制御モード２１において使用者が利用可能な機能のうちの少なくとも一部の機能が制限されている。換言すると、マッサージ機１が有する機能であるマッサージユニット１３、エアセル１４、バイブレータ１５、リクライニング機構１０、回動機構１１及び伸縮機構１２に関して、全部または一部の機能を選択することができず、作動させることができない。具体的には、機能限定制御モード２０では、マッサージ部６の作動に関する位置調整ボタン８３ｂの操作が無効に設定されている。また、図６（ａ）に示すとおり、マッサージ部６の作動に関するコース選択キー８４ａ、部位選択キー８４ｂ及び手技選択キー８４ｃの全てが、表示部８２に表示されないように設定されている。一方、マッサージ部６の作動と関係しない電源ボタン８３ａ、リクライニングボタン８３ｃ、回動ボタン８３ｄ、伸縮ボタン８３ｅ及び急停止ボタン８３ｆの操作は有効に設定されている。
【００３６】
なお、機能限定制御モード２０において、タッチパネル８４により構成される操作部８１を操作させない他の方法として、操作キー８４ａ〜８４ｇを表示部８２に表示するが、使用者の指による操作を無効に設定されていてもよい。また、機能限定制御モード２０において、マッサージ部６の作動と関係しない電源ボタン８３ａ、リクライニングボタン８３ｃ、回動ボタン８３ｄ又は伸縮ボタン８３ｅのうち、少なくともいずれかの操作を無効に設定されていてもよい。
【００３７】
本発明に係るマッサージ機１は、マッサージ機１に関する情報又はマッサージ機を設置する事業者からのメッセージ情報を提供することができる。マッサージ機１に関する情報としては、次に示す４つの情報のうち少なくともいずれかが含まれていることが好ましい。第１の情報としては、このマッサージ機１に備えられた機能や使用者に与える効能効果等、このマッサージ機１の特徴に関する情報である。換言すれば、このマッサージ機１のセールスポイントである。第２の情報としては、背凭れ部４又はフットレスト５の姿勢を調整する方法やマッサージコースの選択方法等、このマッサージ機１の使用方法に関する情報である。第３の情報としては、このマッサージ機１の価格に関する情報である。第４の情報としては、購入申込書の案内、リース契約の案内又は問合せ先の案内等、このマッサージ機１の購入方法に関する情報である。また、マッサージ機１を設置する事業者からのメッセージ情報としては、事業者からの宣伝であることが好ましい。例えば、事業者自体の宣伝や事業者の取り扱う商品・サービスに関する宣伝、事業者が開催するイベントの宣伝等の情報である。
【００３８】
マッサージ機１に関する情報について説明する。図６（ａ）に示すとおり、マッサージ機１に関する情報は、上述したコントローラ８が有する表示部８２に動画又は文字として表示される。この動画又は文字は、コントローラ８とは独立して設けた表示部８２に表示させてもよい。また、動画に対応したガイダンスが音声出力部９から音声として出力される。マッサージ機１に関する情報は、機能限定制御モード２０において提供される。制御モードが機能限定制御モード２０に移行すると、制御部７は表示部８２及び音声出力部９を制御して、マッサージ機１に関する情報を表示及び音声出力する。マッサージ機１に関する情報提供中の機能限定制御モード２０では、マッサージ部６の作動に関する操作キー８４ａ〜８４ｃは表示されないが、マッサージ機１に関する情報提供が終了するとフル機能制御モード２１へ移行し、図６（ｂ）に示すとおり、操作キー８４ａ〜８４ｃが表示される画面へ移行するための「次へ」と記載された移行キー８４ｄが表示されて操作が有効となる。
【００３９】
［制御モード移行の流れ］
以下、各制御モード２０，２１移行の流れを説明する。図７は制御モードの移行を説明するフロー図である。
図７に示すとおり、まず、電源ボタン８３ａを操作してマッサージ機１を起動させる。マッサージ機１が起動されると、制御モードが機能限定制御モード２０へ移行する。上述したとおり、機能限定制御モード２０では、マッサージ部６の作動に関するボタン８３ｂ及び／又は各操作キー８４ａ〜８４ｃの操作が制限されている。制御モードが機能限定制御モード２０に移行すると、図６（ａ）に示すように制御部７は表示部８２及び音声出力部９を制御して、マッサージ機１に関する情報を表示及び出力する。ここで提供される情報は、上述したマッサージ機１の特徴に関する第１の情報、及び／又はマッサージ機１の使用方法に関する第２の情報であることが好ましい。マッサージ機１に関する情報の提供が完了すると、制御モードがフル機能制御モード２１へ移行し、表示部８２は図６（ｂ）に示す画面となる。
【００４０】
なお、機能限定制御モード２０への移行は、マッサージ機１を起動させる操作を行った時に限られない。例えば、マッサージ機１が起動した状態において、マッサージ部６を作動させる操作キー８４ａ〜８４ｃの操作を行った時に機能限定制御モード２０へ移行させてもよい。又は、座部３又は背凭れ部４等にセンサ（図示せず）を設け、使用者とマッサージ機１の接触を検出した時に機能限定制御モード２０へ移行させてもよい。
【００４１】
このように、マッサージ機１を使用する（マッサージを開始する）前に、強制的に機能限定制御モード２０へ移行するため、セールスマンが不在であってもマッサージ機１の特徴又は使用方法に関する情報を使用者に確実に与えることができる。従って、適切にマッサージ機１を使用させることができる。また、マッサージ機１に関する情報を与える前に使用者がマッサージ機１から離れることを防止でき、販売機会が広がる。なお、機能限定制御モード２０においても、背凭れ部４及びフットレスト５を移動させる操作は制限していないため、使用者は所望する姿勢でマッサージ機１に関する情報を得ることができる。
【００４２】
以下、他の各制御モード２０，２１への流れを説明する。図８は制御モードの移行を説明するフロー図である。
図８に示すとおり、まず、電源ボタン８３ａ又は急停止ボタン８３ｆを操作して起動しているマッサージ機１を停止させる。マッサージ機１が停止されると、制御モードが機能限定制御モード２０へ移行する。上述したとおり、機能限定制御モード２０では、マッサージ部６の作動に関するボタン８３ｂ及び／又は各操作キー８４ａ〜８４ｃの操作が制限されている。制御モードが機能限定制御モード２０に移行すると、図６（ａ）に示すように制御部７は表示部８２及び音声出力部９を制御して、マッサージ機１に関する情報を表示及び出力する。ここで提供される情報は、上述したマッサージ機１の価格に関する第３の情報、及び／又はマッサージ機１の購入方法に関する第４の情報であることが好ましい。マッサージ機１に関する情報の提供が完了すると、制御モードがフル機能制御モード２１へ移行し、表示部８２は図６（ｂ）に示す画面となる。
【００４３】
なお、機能限定制御モード２０への移行は、マッサージ機１を停止させる操作を行った時に限られない。例えば、所定時間経過することによりマッサージコースが終了した時に機能限定制御モード２０へ移行させてもよい。このように、マッサージ機１を使用した（マッサージを終了した）後にも、強制的に機能限定制御モード２０へ移行するため、セールスマンが不在であってもマッサージ機１の価格又は購入方法に関する情報を使用者に与えることができ、販売機会が広がる。なお、機能限定制御モード２０においても、背凭れ部４及びフットレスト５を移動させる操作は制限していないため、使用者は所望する姿勢でマッサージ機１に関する情報を得ることができる。
【００４４】
マッサージ機を設置する事業者からのメッセージ情報について説明する。図１０（ａ）に示すとおり、マッサージ機を設置する事業者からのメッセージ情報は、上述したコントローラ８が有する表示部８２に動画又は文字として表示される。この動画又は文字は、コントローラ８とは独立して設けた表示部８２に表示させてもよい。なお、表示部８２に表示させる際には、複数の人物又は複数のキャラクターを動画とともに表示させることが好ましく、後述する選択部としての人物選択キー８４ｆ又はキャラクター選択キー８４ｆを選択することで、表示させた複数の人物又は複数のキャラクターの中から使用者の任意の人物又はキャラクターを選択可能とすることが好ましい。そうすることで、使用者が選択した好みの人物又はキャラクターを表示部８２に表示させることができるため、親近感を持たせることができる。
また、動画に対応したガイダンスが音声出力部９から音声として出力される。この音声を出力させる際には、後述する音声選択キー８４ｇを選択することで、複数の音声の中から使用者の任意の音声を選択可能とすることが好ましい。そうすることで、使用者が選択した好みの音声を音声出力部９から出力させることができるため、より親近感を持たせることができる。
マッサージ機を設置する事業者からのメッセージ情報は、機能限定制御モード２０において提供される。制御モードが機能限定制御モード２０に移行すると、制御部７は表示部８２及び音声出力部９を制御して、選択部としての各操作キー８４ｅ〜８４ｇを表示部８２に表示させる。
【００４５】
選択部としての各操作キー８４ｅ〜８４ｇのフローは以下の通りである。例えば、使用者は、表示部８２に表示された宣伝選択キー８４ｅ（宣伝１〜４）の中から任意の宣伝（宣伝１）を選択する。宣伝１を選択すると、人物選択キー８４ｆ又はキャラクター選択キー８４ｆを選択する画面に切り替わる。人物選択キー８４ｆ（人物１〜４）又はキャラクター選択キー８４ｆ（キャラクター１〜４）の中から任意の人物（人物３）を選択する。人物３を選択すると、音声選択キー８４ｇを選択する画面に切り替わる。音声選択キー８４ｇ（音声１〜４）の中から任意の音声（音声２）を選択する。
このようにして選択していくことで、使用者は、使用者が見たい事業者からのメッセージ情報（宣伝１）を、使用者が好む人物（人物３）、使用者の好む音声（音声２）で確認することができる。
上述した例では、宣伝選択キー８４ｅ、人物選択キー８４ｆ又はキャラクター選択キー８４ｆ、音声選択キー８４ｇを順に選択していく場合を説明したが、これらに限定されるものではない。つまり、宣伝選択キー８４ｅと人物選択キー８４ｆ又はキャラクター選択キー８４ｆの選択をしていく場合や、宣伝選択キー８４ｅと音声選択キー８４ｇの選択をしていく場合など、各選択キー８４ｅ〜８４ｇの組合せであってもよいし、各選択キー８４ｅ〜８４ｇを単独で選択してもよい。各選択キー８４ｅ〜８４ｇを単独で選択する場合を説明する。例えば、宣伝選択キー８４ｅを単独で選択した場合、選択した宣伝に関連した人物又はキャラクターと音声とが自動的に決定される。つまり、使用者が宣伝選択キー８４ｅを選択するだけで、人物又はキャラクターと音声とが決定される。また、人物選択キー８４ｆ又はキャラクター８４ｆを単独で選択した場合、選択した人物又はキャラクターに関連した宣伝と音声とが自動的に決定される。つまり、使用者が人物選択キー８４ｆ又はキャラクター選択キー８４ｆを選択するだけで、宣伝と音声とが決定される。また、音声選択キー８４ｇを単独で選択した場合、選択した音声に関連した宣伝と人物又はキャラクターとが自動的に決定される。つまり、使用者が音声選択キー８４ｇを選択するだけで、宣伝と人物又はキャラクターとが決定される。
このような構成とすることで、宣伝と人物又はキャラクターと音声とをそれぞれ選択することに対して、使用者が感じている煩わしさを軽減させることができる。
【００４６】
なお、宣伝選択キー８４ｅで選択できる宣伝は、例えば、マッサージ機１を設置する事業者が取り扱う商品やサービスのセール情報や開催するイベント情報などである。そうすることで、使用者に対して、マッサージ機１を設置する事業者が取り扱う商品やサービスについてのアピールをすることができるため、販売機会を拡大させることができる。また、人物選択キー８４ｆ又はキャラクター選択キー８４ｆで選択できる人物又はキャラクターは、例えば、アナウンサーや俳優、女優、芸能人、アニメの登場人物などである。そうすることで、使用者に対して、より親近感を持たせることができる。また、音声選択キー８４ｇで選択できる音声は、例えば、男性の声や女性の声、ボーカロイド（登録商標）などの機械による合成音声などである。そうすることで、使用者に対して、より親近感を持たせることができる。
【００４７】
［制御モード移行の流れ］
以下、各制御モード２０，２１移行の流れを説明する。図１１は制御モードの移行を説明するフロー図である。
図１１に示すとおり、まず、電源ボタン８３ａを操作してマッサージ機１を起動させる。マッサージ機１が起動されると、制御モードが機能限定制御モード２０へ移行する。上述したとおり、機能限定制御モード２０では、マッサージ部６の作動に関するボタン８３ｂ及び／又は各操作キー８４ａ〜８４ｃの操作が制限されている。制御モードが機能限定制御モード２０に移行すると、図９（ａ）〜（ｃ）に示すように、使用者は選択部の宣伝選択キー８４ｅ、人物選択キーｆ又はキャラクター選択キー８４ｆ、音声選択キー８４ｇをそれぞれ選択する。選択された内容に応じて、図１０（ａ）に示すように制御部７は表示部８２及び音声出力部９を制御して、事業者からのメッセージ情報を表示及び出力する。ここで提供される情報は、上述した事業者からの宣伝であることが好ましい。事業者からのメッセージ情報の提供が完了すると、制御モードがフル機能制御モード２１へ移行し、表示部８２は図１０（ｂ）に示す画面となる。
【００４８】
なお、機能限定制御モード２０への移行は、マッサージ機１を起動させる操作を行った時に限られない。例えば、マッサージ機１が起動した状態において、マッサージ部６を作動させる操作キー８４ａ〜８４ｃの操作を行った時に機能限定制御モード２０へ移行させてもよい。又は、座部３又は背凭れ部４等にセンサ（図示せず）を設け、使用者とマッサージ機１の接触を検出した時に機能限定制御モード２０へ移行させてもよい。
【００４９】
このように、マッサージ機１を使用する（マッサージを開始する）前に、強制的に機能限定制御モード２０へ移行するため、セールスマンが不在であっても、マッサージ機を設置する事業者が発信するメッセージ情報（例えば、事業者の宣伝やマッサージ機を使用する際の注意喚起など）を、使用者に確実に与えることができる。従って、事業者からのメッセージ情報を適切に使用者へ認知させることができる。また、マッサージ機を設置する事業者からのメッセージ情報を与える前に使用者がマッサージ機１から離れることを防止でき、宣伝効果が高くなる。なお、機能限定制御モード２０においても、背凭れ部４及びフットレスト５を移動させる操作は制限していないため、使用者は所望する姿勢でマッサージ機を設置する事業者からのメッセージ情報を得ることができる。
【００５０】
以下、他の各制御モード２０，２１への流れを説明する。図１２は制御モードの移行を説明するフロー図である。
図１２に示すとおり、まず、電源ボタン８３ａ又は急停止ボタン８３ｆを操作して起動しているマッサージ機１を停止させる。マッサージ機１が停止されると、制御モードが機能限定制御モード２０へ移行する。上述したとおり、機能限定制御モード２０では、マッサージ部６の作動に関するボタン８３ｂ及び／又は各操作キー８４ａ〜８４ｃの操作が制限されている。制御モードが機能限定制御モード２０に移行すると、使用者は選択部の宣伝選択キー８４ｅ、人物選択キーｆ又はキャラクター選択キー８４ｆ、音声選択キー８４ｇをそれぞれ選択する。選択された内容に応じて、図１０（ａ）に示すように制御部７は表示部８２及び音声出力部９を制御して、マッサージ機を設置する事業者からのメッセージ情報を表示及び出力する。ここで提供される情報は、上述した事業者からの宣伝であることが好ましい。マッサージ機を設置する事業者からのメッセージ情報の提供が完了すると、制御モードがフル機能制御モード２１へ移行し、表示部８２は図１０（ｂ）に示す画面となる。
【００５１】
なお、機能限定制御モード２０への移行は、マッサージ機１を停止させる操作を行った時に限られない。例えば、所定時間経過することによりマッサージコースが終了した時に機能限定制御モード２０へ移行させてもよい。このように、マッサージ機１を使用した（マッサージを終了した）後にも、強制的に機能限定制御モード２０へ移行するため、セールスマンが不在であっても、マッサージ機を設置する事業者が発信するメッセージ情報（例えば、事業者の宣伝やマッサージ機を使用する際の注意喚起など）を使用者に与えることができ、宣伝効果が高くなる。なお、機能限定制御モード２０においても、背凭れ部４及びフットレスト５を移動させる操作は制限していないため、使用者は所望する姿勢でマッサージ機１を設置する事業者からのメッセージ情報を得ることができる。
【００５２】
また、本発明のマッサージ機１は、図示する形態に限らず、この発明の範囲内において他の形態のものであってもよい。図１３はマッサージ機１を備えた情報ネットワークシステムを示す全体構成図である。
例えば、図１３に示すとおり、マッサージ機１は、外部から情報を受信する通信手段３１を有していてもよい。この場合、通信ネットワーク３０に、マッサージ機１と、事業者４０と、通信サーバ５０と、が含まれていることが好ましい。事業者４０は、例えば、マッサージ機１を設置する事業者の他、マッサージ機１を販売する事業者やマッサージ機１を貸し出す事業者、販売したマッサージ機１を管理する事業者等を含む。具体的には、事業者は、家電量販店や総合スーパー（ＧＭＳ）、通信販売会社、問屋、マッサージ機１を製造する製造元会社（メーカー）、マッサージ機１を貸し出すリース会社またはレンタル会社等である。通信サーバ５０は、通信ネットワーク３０を介してマッサージ機１と通信できるように構成されている。通信ネットワーク３０としては、例えば、インターネット網、ビル内の通信ネットワーク網、地域内のネットワーク網等を含む。本実施形態では、事業者４０はクラウド型の通信サーバ５０を有している。通信サーバ５０は、事業者４０が管理する通信サーバ５０であっても、他の事業者が管理する通信サーバ５０であってもよい。通信サーバ５０は、マッサージ機１に関する情報（上述した第１〜第４の情報）を発信する。このような構成とすることにより、機能改良や価格改定等マッサージ機１の変化に前記情報を容易に対応させることができる。
また、通信サーバ５０は、マッサージ機１を設置する事業者からのメッセージ情報を発信するようにしてもよい。このような構成とすることにより、事業者自体の宣伝や事業者の取り扱う商品・サービスに関する宣伝、事業者が開催するイベントの宣伝等の情報の変更に前記情報を容易に対応させることができる。
【００５３】
また、マッサージ機１は、使用者と対話可能であってもよい。この場合、使用者からの音声を認識する音声認識手段を設けるとともに、制御部７に人工知能技術が含まれていることが好ましい。このような構成することにより、表示部８２や音声出力部９を介して使用者と対話することができ、マッサージ機１に関する情報又はマッサージ機１を設置する事業者からのメッセージ情報をより適切に与えることができる。
【産業上の利用可能性】
【００５４】
本発明は、セールスマンが不在であっても、マッサージ機に関する情報を使用者に十分与えることができるマッサージ機、又は、事業者が不在であっても、マッサージ機を設置する事業者が発信するメッセージ情報（例えば、事業者の宣伝やマッサージ機を使用する際の注意喚起など）を、使用者に十分与えることができるマッサージ機に適用できる。
【符号の説明】
【００５５】
１  マッサージ機
４  背凭れ部
５  フットレスト
６  マッサージ部
７  制御部
８  コントローラ
９  音声出力部
２０  機能限定制御モード
２１  フル機能制御モード
３１  通信手段
８１  動作部
８２  表示部
８３  物理ボタン
８４  タッチパネル
【図１】
2018023764.tif 000003
【図２】
2018023764.tif 000004
【図３】
2018023764.tif 000005
【図４】
2018023764.tif 000006
【図５】
2018023764.tif 000007
【図６】
2018023764.tif 000008
【図７】
2018023764.tif 000009
【図８】
2018023764.tif 000010
【図９】
2018023764.tif 000011
【図１０】
2018023764.tif 000012
【図１１】
2018023764.tif 000013
【図１２】
2018023764.tif 000014
【図１３】
2018023764.tif 000015